(57)【要約】  【課題】ペーパーレス受信を容易に行うことができるファクシミリサーバを提供する。  【解決手段】ファクスまたはインターネットファックスを受信した場合、自動配信設定がＯＦＦになっていると、受信した原稿がプリントアウトされ（ステップ101〜103）、自動配信設定がＯＮになっていると、配信設定の絞込み条件が設定されていない場合には、受信した原稿が配信処理される（ステップ104、105）。また、絞込み条件が設定されている場合、宛先表絞込み条件がＯＦＦになっていると、その他の絞込み条件、例えば、設定された発信元番号と合致するか否かにより配信処理が行われる（ステップ106、107）。一方、宛先表絞込条件がＯＮの場合、ＴＳＩまたは送信元のメールアドレスが電話帳の宛先表に登録済みか否かが判定され、宛先表に登録されていれば、配信処理が行われる（ステップ110、111）。  【選択図】図１１
2007013233.tif 000002
【特許請求の範囲】
【請求項１】
設定された条件に基づいて受信したデータを配信する制御手段を備えたファクシミリサーバであって、
電話帳絞込みが設定されている場合、上記制御手段が、電話帳に登録されている宛先について、一括してペーパーレス受信することを特徴とするファクシミリサーバ。
【請求項２】
請求項１に記載されたファクシミリサーバにおいて、
上記電話帳絞込みを設定するか否かを選択可能としたことを特徴とするファクシミリサーバ。
【請求項３】
請求項１に記載されたファクシミリサーバにおいて、
受信した相手先が電話帳に登録されている場合、機器内部のストレージ部に保持されている受信データを残し、電話帳に登録されていない場合は、機器内部のストレージ部に保持されている受信データを削除することを特徴とするファクシミリサーバ。
【発明の詳細な説明】
【技術分野】
【０００１】
本発明はファクシミリサーバ、特に、設定された条件に基づいて受信したファクスやメールをユーザの個人フォルダや共有フォルダに配信したり、プリント出力することができるファクシミリサーバに関する。
【背景技術】
【０００２】
近時、オフィスなどにおいて、ファクシミリスステムが普及してきており、データ通信上有益な役割を果たしている。このようなシステムは、例えば、ＬＡＮなどの通信ネットワークにより、ファクシミリサーバや端末装置いわゆるクライアントパソコンなどを接続して構成されており、ファクシミリサーバは、ファクシミリ受信したデータをクライアントパソコンに転送したり、クライアントパソコンから転送先を指定したデータを受信すると、受信したデータを指定された転送先に送信するようになっている。
【０００３】
このようなファクシミリサーバは、通常、ウェブサーバ機能を有するネットワークボードを備え、ファクス／メールを受信した場合、プリント出力するだけでなく、配信設定に従って他のファクシミリ装置に転送したり、あるいは、ネットワークボード内のユーザの個人フォルダや共有フォルダに画像データを一時的に記憶し、ユーザがネットワークボードの格納場所にアクセスして画像データを取り込むようにしたペーパーレス受信機能を備えている（例えば、特許文献１参照）。
【特許文献１】特開２００１−１８６３２０号公報
【発明の開示】
【発明が解決しようとする課題】
【０００４】
上記のように、ファクシミリサーバはペーパーレス受信機能を搭載しており、このペーパーレス受信を行う条件としてすべてのファクス番号、メールアドレスに対して行う場合と、あらかじめ設定している相手先ファクス番号、メールアドレスに対して行う場合の２つの場合があったが、通常、発信元として登録できる件数は、ファクス、メールでそれぞれ５件程度であり、多くの発信元を登録できず、ペーパーレス受信条件として充分なものではなかった。
また、上記のような配信処理を行うには、発信元毎に条件を登録する必要があり、対象となる発信元が多くなると、配信条件の維持、管理が面倒である、という問題もあった。
【０００５】
本発明は、上記の問題に鑑みてなされたもので、ペーパーレス受信を容易に行うことができるファクシミリサーバを提供することを目的とする。
【課題を解決するための手段】
【０００６】
上述の目的を達成するため、請求項１に係る発明のファクシミリサーバは、設定された条件に基づいて受信したデータを配信する制御手段を備えたファクシミリサーバであって、電話帳絞込みが設定されている場合、上記制御手段が、電話帳に登録されている宛先について、一括してペーパーレス受信することを特徴とする。
【０００７】
また、請求項２に係る発明のファクシミリサーバは、請求項１に記載されたファクシミリサーバにおいて、電話帳絞込みを設定するか否かを選択可能としたことを特徴とし、
請求項３に係る発明のファクシミリサーバは、請求項１に記載されたファクシミリサーバにおいて、受信した相手先が電話帳に登録されている場合、機器内部のストレージ部に保持されている受信データを残し、電話帳に登録されていない場合は、機器内部のストレージ部に保持されている受信データを削除することを特徴とする。
【発明の効果】
【０００８】
本発明の請求項１〜請求項３に係る発明のファクシミリサーバによれば、別途登録されている電話帳のファクス番号、メールアドレスをペーパーレス受信条件に入れるか否かが選択可能であり、ペーパーレス受信条件として選択した場合は、ファクス受信、インターネットファクス受信を行った際に、相手先ファクス番号（ＴＳＩ）、相手先メールアドレスが電話帳に登録されているか否かが判断され、電話帳に登録されている場合、ペーパーレス受信することができるので、特に、配信条件設定を行うことなく、容易に受信したデータを他のファクシミリ装置に転送したり、あるいは、ユーザの個人フォルダや共有フォルダに保存することができる。
【実施例】
【０００９】
以下、本発明のファクシミリサーバをデジタル複合機に適用した実施例について、図面を用いて説明する。図１はデジタル複合機を備えたシステムのネットワーク構成例を示す図であり、図２はデジタル複合機のハードウェア構成を示すブロック図である。
【００１０】
図１に示すネットワーク構成図において、１はデジタル複合機、２、３、４・・・はパソコン、５は公衆交換電話網（ＰＳＴＮ）、６はＬＡＮ（Local Area Network）、７はインターネット網である。デジタル複合機１はコピーモード、プリンタモード、ファクスモードの各機能を備えるとともに、メール送受信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、デジタル複合機１はこのインターネット網７を介してメールの送受信を行うことが可能である。
【００１１】
図２はデジタル複合機１の制御系の構成を示す概略ブロック図であり、図に示すように、デジタル複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、ネットワークボード２１及びＬＡＮインターフェース（Ｉ／Ｆ）２２から構成され、各部がバス２３を介して接続されている。
【００１２】
ＣＰＵ１１はバス２３を介してデジタル複合機１のハードウェア各部を制御するとともに、ＲＯＭ１２に記憶されたプログラムに基づいて各種のプログラムを実行し、ＲＯＭ１２はデジタル複合機の動作に必要な種々のプログラムや操作メッセージ等を予め記憶している。
また、ＲＡＭ１３はＳＲＡＭ等で構成され、プログラムの実行時に発生する一時的なデータを記憶するとともに、電話帳データを記憶する電話帳テーブル２４と、ファクスやメールを受信した場合の配信先の設定を記憶する配信設定テーブル２５の記憶領域を備えている。
【００１３】
この配信設定テーブル２５は、送信元のファクス番号や電子メールの情報から配信先を決定するための条件が設定されるテーブルである。
すなわち、ファクスを受信した場合、通常、送信宛先のユーザを特定することは困難である。また、電子メールは所定のヘッダ情報と本文とから構成されており、ヘッダ情報には、電子メールの発信日時を示す“Data”、電子メールの宛先を示す“To”、電子メールの発信者を示す“From”、電子メールの題名等の付加的情報を示す“Subject”等が含まれているが、デジタル複合機１で電子メールを受信する場合、“To”フィールドにはデジタル複合機1専用の電子メールアドレスが記載されているため、送信宛先のユーザを特定することができない。
このため、着信時に交換機から送られてくる発信者番号通知やＩＳＤＮサブアドレス、ファクシミリ手順の中でＴＳＩ信号として送られてくる発信元の番号やＦコードサブアドレス及びパスワード、等から配信先を決定するための情報を配信設定テーブル２５に設定するようにしている。
【００１４】
図３は上記の配信設定テーブル２５の一例を示すものであり、この例では、ＴＳＩが「０３−４５６７−８９９９」のファクスを９時から１７時の間に受信した場合は、配信先に設定されたメールアドレスに転送するとともに、プリント出力を行い、また、月曜から金曜の間に発信元メールアドレスに“ａｂｃ”の文字が含まれたインターネットファクスを受信した場合は、ＵＳＥＲ２のフォルダに保存し、プリント出力は行わない。
なお、この配信設定テーブル２５の設定は表示・操作部１４に表示される設定登録画面あるいはパソコン２、３、４等のモニタの設定入力画面からユーザが入力することにより、それぞれの設定を配信設定テーブル２５に登録することが可能である。
【００１５】
一方、表示・操作部１４は、デジタル複合機１の動作状態を表示したり、種々の機能の操作画面の表示を行う表示部と、デジタル複合機１を操作するための多数の操作キーとから構成され、読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
【００１６】
また、画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータ、コピー原稿データあるいは外部のパソコンから送信されたプリントデータをプリントアウトする。
【００１７】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００１８】
モデム１９はバス２３に接続されており、ファクシミリ通信が可能なファクスモデムとしての機能を有し、このモデム１９は同様にバス２３に接続されたＮＣＵ２０と接続されている。ＮＣＵ２０はアナログ回線の閉結及び開放の動作を行うハードウェアであり、必要に応じてモデム１９をＰＳＴＮ５に接続する。
【００１９】
また、ネットワークボード２１は図４の機能ブロック図に示すように、ＴＣＰ／ＩＰプロトコル制御部３１、ＨＴＴＰＤ制御部３２、ホームページ管理部３３、文書管理部３４からなり、これらの各部は、ＣＰＵ、ＲＯＭ、ＲＡＭ等のメモリ、磁気ディスク（ハードディスク）記憶装置等により構成されている。
【００２０】
ＴＣＰ／ＩＰプロトコル制御部３１はＴＣＰ（Transmission  Control  Protocol）／ＩＰ（Internet  Protocol）を制御し、ＨＴＴＰＤ制御部３２は、ＴＣＰ／ＩＰプロトコル制御部３１によるデータストリーム転送機能を用いてＨＴＴＰＤ（Hyper  Text  Transfer  Protocol  Deamon）機能に対する処理を実行し、パソコン２、３、４等のＷＷＷ（World  Wide  Web）ブラウザからの要求を処理する。
なお、ＨＴＴＰＤはＨＴＴＰサーバの機能を提供するデーモンで、ＵＮＩＸ（登録商標）オペレーティング・システム上でウェブサーバを運用する際に使われるものである。
【００２１】
また、ホームページ管理部３３は、ＨＴＴＰＤ制御部３２からのホームページ要求に対応してホームページファイルをＨＴＴＰＤ制御部３２に出力し、文書管理部３４はデジタル複合機１本体からの操作によるファクス送信文書、スキャン文書、ファクス／メール受信の配信文書等の文書を記憶・保存するととともに、ＨＴＴＰＤ制御部３２からの要求に応じて保存文書の一覧情報をＨＴＭＬ（Hyper Text Markup Language）形式のファイルに変換してＨＴＴＰＤ制御部３２に出力し、かつ、ＨＴＴＰＤ制御部３２から入力された情報を解析して、保存文書の転送、削除等の処理を行う。
【００２２】
図５は文書管理部３４の概念図であり、図に示すように、共有フォルダ４１及び各ユーザのフォルダ４２、４３・・・を備えており、ファクスやメールを受信した場合、ＲＡＭ１３の配信設定テーブル２５の設定に従ってそれぞれのフォルダに受信文書が保存される。
【００２３】
一方、ＬＡＮインターフェース２２はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２４】
デジタル複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、特に配信設定がなされていない場合、受信した画像データがモデム１９で復調され、画像メモリ１６に蓄積された後、コーデック１８で復号されて記録部１７によりプリントされる。
【００２５】
また、電子メールの受信時には、配信設定テーブル２５の設定に基づいて指定された配信先への配信、すなわち、対応するフォルダへの受信文書の保存、及び、配信設定にプリント出力が含まれている場合には、受信データの記録部１７によるプリントアウトが実行される。
【００２６】
次に、上記のようにして文書管理部３４の各フォルダに保存された文書をパソコン２、３、４等から見る場合の作用について説明する。
ユーザがＷＷＷブラウザを起動し、例えば、パソコン２のモニタに表示されたＷＷＷブラウザ画面において、デジタル複合機１のＩＰアドレスを指定してアクセスを行うと、ネットワークボード２１のＨＴＴＰＤ制御部３２がこれを検知し、ホームページ管理部３３からＨＴＭＬで記述されたホームページファイルを読み出し、ＴＣＰ／ＩＰプロトコル制御部３１、ＬＡＮインターフェース２２、ＬＡＮ６を介してパソコン２に転送する。
【００２７】
そして、ユーザがこのホームページから文書の一覧表示を選択して指示すると、この一覧表示指示情報がＬＡＮ６を介してデジタル複合機１に転送され、ネットワークボード２１のＨＴＴＰＤ制御部３２がこれを検知する。これにより、ＨＴＴＰＤ制御部３２が文書管理部３４に文書一覧転送を指示し、文書管理部３４が保存文書の一覧情報をＨＴＭＬ形式のファイルに変換してパソコン２に転送する。
これにより、パソコン２のモニタ画面に図６に示す文書一覧リスト画面が表示される。
【００２８】
図６に示すように、この文書一覧リスト画面の上部に、スキャン画像、送信文書、受信文書、共有受信文書、掲示板、回覧文書、処理依頼文書、オプションの切替タグと、「転送」、「送信」、「プリント」、「ダウンロード」、「削除」、「掲示板」、「回覧」、「処理依頼」等の機能選択ボタンが表示されている。また、文書一覧リスト画面の下部には、送信文書の場合、相手先名、送信結果、文書分類、ページ数、送信日時等が表示される。
この画面で文書の切替タグを選択することにより所望の文書分類の文書を表示することができ、また、表示された文書を指定した後、機能選択ボタンの「ダウンロード」をクリックすることにより、指定した文書をダウンロードすることができるので、パソコン上のアプリケーションソフトを用いて内容を確認したり、プリントすることが可能である。
【００２９】
一方、図６の画面の「オプション」の切替タグは、ネットワーク複合機１の各種の設定を行ったり、情報を確認するための切替タグであり、このタグをクリックすると、パソコンのモニタ画面に、図７に示すような選択画面が表示される。
この選択画面では、ユーザ情報として、「ユーザ情報」、電話帳としての「宛先表」、「転送」機能等を選択して設定することができ、共有ジョブ管理として、「通信ジョブ」機能や「プリントジョブ」機能を選択して設定することができる。また、機器情報・履歴として、「機器情報」、「ファクス通信履歴」、「メール通信履歴」を閲覧することができ、機器設定として、「共通」、「スキャン」、「送信」、「通信データ」、「自動配信」、「件名・文書分類」、「フォルダ」、「通信データ保管」、「共有受信」、「掲示板」、「回覧／配信」、「処理依頼」の各種の機能を選択して設定を行うことができる。さらに、環境設定では、「ＴＣＰ／ＩＰ」、「メールオプション」等の各種の環境設定を選択して設定を行うことができる。
【００３０】
図７のオプション選択画面で、ユーザが「自動配信」をクリックすると、図８に示す自動配信設定画面が表示される。この画面では、自動配信設定の「番号」、その番号の自動配信設定の「配信設定名」及びその配信設定が有効か無効かの表示が行われている。既に登録されている配信設定を修正する場合には、修正したい番号をクリックすることにより修正画面が表示され、新たな配信設定を作成したい場合には、登録されていない任意の番号をクリックすることによりその番号に新たな配信設定を作成することができる。
【００３１】
例えば、ユーザが番号００１をクリックすると、図９に示す自動配信設定の修正画面が表示される。この修正画面（新規作成画面も同様）では、配信設定を有効にするか否かのチェックボックス、配信設定の名称入力欄、検索条件設定欄、配信先の入力欄、電子メール配信、フォルダ配信の場合の添付ファイル形式選択欄、プリントの可否設定欄、共有文書配信等の応用機能選択欄、期間設定欄が設けられており、必要な事項の入力及びチェックを行った後、「設定」をクリックすることにより、入力した設定がデジタル複合機１に送信されて配信設定テーブル２５に記憶された後、再び図８の自動配信設定画面が表示される。
【００３２】
一方、図９の自動配信設定画面の検索条件では、絞込み条件を設定することが可能であり、ユーザが図９の画面で受信ファクスまたは受信メール欄の「絞込み条件設定」をクリックすると、絞込み条件設定画面が表示される。
図１０は受信ファクス欄の「絞込み条件設定」をクリックした場合の絞込み条件設定画面の一例を示すものであり、この画面ではＲＡＭ１３の電話帳テーブル２４に記憶されている宛先表を有効にするか否かのチェック欄と、発信元番号、ナンバーディスプレイのそれぞれ５件の入力欄と、Ｆコードの入力欄及び検索条件のチェック欄が設けられている。
なお、受信メール欄の「絞込み条件設定」をクリックした場合、発信元番号、ナンバーディスプレイ、Ｆコードに代えて、発信元メールアドレスの入力欄が表示される。
【００３３】
図１０の絞込み条件設定画面で「宛先表有効」を「ＯＮ」にして、「ＯＫ」をクリックすると、ファクスまたはインターネットファクスを受信した場合、送信元のファクス番号、またはメールアドレスがＲＡＭ１３の電話帳テーブル２４に記憶されているか否かが判別され、送信元のファクス番号、またはメールアドレスがＲＡＭ１３の電話帳テーブル２４に記憶されている場合、図９の自動配信設定画面で設定された配信先に自動配信される。
【００３４】
上記の配信設定が行われた後、ファクスまたはインターネットファクスを受信した場合のデジタル複合機１のＣＰＵ１１の作用を、以下、図１１のフローチャートにより説明する。
ＣＰＵ１１は、常時、図１１のフローチャートに示すプログラムを実行しており、ファクスまたはインターネットファックスの原稿を受信したか否かを判定している（ステップ１０１）。そして、ファクスまたはインターネットファックスの原稿を受信したと判定すると、ＣＰＵ１１は、図８の自動配信設定画面のいずれかの配信設定が有効になっているか否かを判定することにより、自動配信設定のＯＮ、ＯＦＦを判定し（ステップ１０２）、自動配信設定がすべてＯＦＦになっていると判定した場合、あるいは、自動配信設定がなされていない場合は、受信した原稿を記録部１７によりプリントアウトする（ステップ１０３）。
【００３５】
一方、いずれかの自動配信設定がＯＮであると判定した場合、ＣＰＵ１１は、有効な配信設定の絞込み条件が設定されているか否かを判定することにより、絞込み条件のＯＮ、ＯＦＦを判定し（ステップ１０４）、絞込み条件が設定されていないと判定した場合、図９の自動配信設定画面で設定された配信先に受信した原稿を配信処理する（ステップ１０５）。
【００３６】
また、絞込み条件が設定されていると判定した場合、ＣＰＵ１１は、その絞込み条件で図１０の「宛先表有効」欄がＯＮになっているか否かを判定することにより、宛先表絞込み条件のＯＮ、ＯＦＦを判定し（ステップ１０６）、宛先表絞込み条件がＯＦＦになっていると判定した場合、その他の絞込み条件、例えば、発信元番号が合致するか否かを判定する（ステップ１０７）。
そして、その他の絞込み条件に合致すると判定した場合、ＣＰＵ１１は、図９の自動配信設定画面で設定された配信先に受信した原稿を配信処理し（ステップ１０８）、その他の絞込み条件に合致しないと判定した場合、画像メモリ１６に蓄積された受信原稿を削除する（ステップ１０９）。
【００３７】
一方、ステップ１０６で宛先表絞込条件がＯＮであると判定した場合、ＣＰＵ１１は、ＴＳＩまたは送信元のメールアドレスがＲＡＭ１３の電話帳テーブル２４に登録済みか否かを判定し（ステップ１１０）、ＴＳＩまたは送信元のメールアドレスがＲＡＭ１３の電話帳テーブル２４に登録済みであると判定した場合、受信した原稿を図９の自動配信設定画面で設定された配信先に配信処理し（ステップ１１１）、ＴＳＩまたは送信元のメールアドレスがＲＡＭ１３の電話帳テーブル２４に登録されていないと判定した場合、画像メモリ１６に蓄積された受信原稿を削除する（ステップ１１２）。
なお、複数の自動配信設定が有効になっている場合には、順次自動配信設定の条件判別を実行し、すべての自動配信設定の条件判別が終了した後に、上記の受信原稿の削除が行われる。
【００３８】
以上のように宛先表絞込みをＯＮに設定すれば、ファクス受信、インターネットファクス受信を行った際に、相手先ファクス番号（ＴＳＩ）、相手先メールアドレスが電話帳に登録されていれば配信処理が行われるので、電話帳に登録されている宛先について、配信条件設定を行うことなく、一括してペーパーレス受信することができる。
【００３９】
なお、上記の実施例では、インターネットファクスの場合、送信元のメールアドレスに基づいて自動配信を行ったが、電子メールの“Subject”フィールド、あるいは本文に記載された内容から配信先を決定するための情報を配信設定テーブル２５に設定することも可能である。
また、上記の実施例では、受信条件として、発信元の電話番号、メールアドレスを設定したが、例えば、発信元の市外局番のみやメールアドレスの一部を条件とするというように、部分的な条件を設定するなど、各種の条件を設定できるようにすることが可能である。
【００４０】
さらに、上記の実施例では、本発明のファクシミリサーバをデジタル複合機に適用した例について説明したが、本発明のファクシミリサーバはコピー機能、パソコンプリント機能等を持たないファクシミリ装置やメールサーバにも適用することが可能である。
【図面の簡単な説明】
【００４１】
【図１】本発明のファクシミリサーバを適用したデジタル複合機を備えたシステムのネットワーク構成例を示す図である。
【図２】デジタル複合機のハードウェア構成を示すブロック図である。
【図３】配信設定テーブルの一例を示す図である。
【図４】デジタル複合機内のネットワークボードの機能ブロック図である。
【図５】ネットワークボード内の文書管理部の概念を示す図である。
【図６】文書一覧リスト表示画面の一例を示す図である。
【図７】オプション選択画面の一例を示す図である。
【図８】自動配信設定画面の一例を示す図である。
【図９】自動配信設定の入力画面の一例を示す図である。
【図１０】絞込み条件設定画面の一例を示す図である。
【図１１】ファクスまたはインターネットファクスを受信した場合のＣＰＵの作用を示すフローチャートである。
【符号の説明】
【００４２】
１  デジタル複合機
２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ネットワークボード
２２  ＬＡＮ  Ｉ／Ｆ
２３  バス
２４  電話帳テーブル
２５  配信設定テーブル
３１  ＴＣＰ／ＩＰプロトコル制御部
３２  ＨＴＴＰＤ制御部
３３  ホームページ管理部
３４  文書管理部
【図１】
2007013233.tif 000003
【図２】
2007013233.tif 000004
【図３】
2007013233.tif 000005
【図４】
2007013233.tif 000006
【図５】
2007013233.tif 000007
【図６】
2007013233.tif 000008
【図７】
2007013233.tif 000009
【図８】
2007013233.tif 000010
【図９】
2007013233.tif 000011
【図１０】
2007013233.tif 000012
【図１１】
2007013233.tif 000013